(57)【要約】  【課題】従来は、画像も記録可能な留守番電話機能付きの装置による通信方法で、音声信号である用件メッセージと共にアニメーションを含む画像情報を専門的知識や熟練が必要であった。本発明は、この問題点を解決し、アニメーションを容易に生成し得、特に、これら音声および画像両情報の同期送信および受信再生を可能にする機能を有する通信装置およびこの装置を用いた通信方法の実現を目的としている。  【解決手段】音声メッセージを所定の時間毎に分析し音声特徴情報を算出する音声分析部と、音声メッセージに対して発信者が選択した一連の静止画の集まりであるアニメ用データを記憶するアニメ用データ格納部と、前記の記憶されている音声特徴情報と当該音声データに対応したアニメ用データとの同期をとりながらアニメーションを生成するアニメ生成部とを有する画像表示機能付き通信装置とした。【選択図】図１
2006324940.tif 000002
【特許請求の範囲】
【請求項１】
発信側端末または着信側端末として音声信号である用件メッセージおよび画像信号であるアニメ用データの送受信が可能な自動アニメーション付き留守番電話機能を備えた画像表示機能付き通信装置であって、
音声データである用件メッセージを分析して予め定められた時間毎の音声の状態を示す音声特徴情報を算出する音声分析部と、
前記用件メッセージに対して発信側端末において選択された前記音声の状態に対応した複数の画像データを含み、かつ所定の相互関係をもった一連の静止画の集まりであるアニメ用データを記憶するアニメ用データ格納部と、
前記音声特徴情報と前記アニメ用データとに基づいて、前記用件メッセージの予め定められた時間毎の音声の状態に同期して前記アニメ用データの対応する画像データを表示するアニメーションを生成するアニメ生成部と、
を有することを特徴とする自動アニメーション付き留守番電話機能を備えた画像表示機能付き通信装置。
【請求項２】
請求項１に記載の自動アニメーション付き留守番電話機能を備えた画像表示機能付き通信装置は、
前記発信側端末として使用する場合には前記アニメ用データ格納部に記憶されているデータの発信手段となり、前記着信側端末として使用する場合には該アニメ用データの受信手段となるアニメ用データ通信部を有していることを特徴とする自動アニメーション付き留守番電話機能を備えた画像表示機能付き通信装置。
【請求項３】
請求項１または請求項２に記載の自動アニメーション付き留守番電話機能を備えた画像表示機能付き通信装置は、
インターネットに接続されているコンテンツサーバから所望のアニメ用データを取得するためのインターネット通信部を有していることを特徴とする自動アニメーション付き留守番電話機能を備えた画像表示機能付き通信装置。
【請求項４】
発信側端末または着信側端末として音声信号である用件メッセージおよび画像信号であるアニメ用データの処理が可能な自動アニメーション付き留守番電話機能を用いた通信方法であって、
前記着信側端末では、
前記用件メッセージを音声分析部で分析した後、該音声分析部において予め定められた時間毎の音声の状態を示す音声特徴情報を算出し、該音声特徴情報を音声特徴情報格納部で記憶し、
前記用件メッセージに対して前記発信側端末において選択された前記音声の状態に対応した複数の画像データを含み、かつ所定の相互関係をもった一連の静止画の集まりであるアニメ用データをアニメ用データ格納部に記憶し、
前記音声特徴情報格納部に記憶されている音声特徴情報と前記アニメ用データ格納部に記憶されているアニメ用データとに基づいて、前記用件メッセージの予め定められた時間毎の音声の状態に同期して前記アニメ用データの対応する画像データからアニメ生成部によりアニメーションとして生成し、表示すること、
を特徴とする自動アニメーション付き留守番電話機能を用いた通信方法。
【請求項５】
請求項４に記載の自動アニメーション付き留守番電話機能を用いた通信方法において、
アニメ用データ通信部を、前記発信側端末として使用する場合にはアニメ用データ格納部に記憶されているデータを発信し、または前記着信側端末として使用する場合には前記発信側から送信されてきた前記アニメ用データを受信することを特徴とする自動アニメーション付き留守番電話機能を用いた通信方法。
【請求項６】
請求項４または請求項５に記載の画像表示機能付き通信装置を介して行う通信方法において、
前記発信側端末においてインターネットに接続されているコンテンツサーバから所望のアニメ用データを選択して取得し、該選択されたアニメ用データを前記用件メッセージと共に前記着信側端末にインターネット通信部を経由して送信する、
ことを特徴とする自動アニメーション付き留守番電話機能を用いた通信方法。
【請求項７】
請求項６に記載の自動アニメーション付き留守番電話機能を用いた通信方法において、
前記発信側端末は前記コンテンツサーバからアニメ用データの一覧を受信し、
前記発信側端末は該受信したアニメ用データの一覧の中から所望のデータを選択し、コンテンツサーバ２５におけるアドレス、アニメ用データの識別情報を含む該選択されたアニメ用データに関する情報を前記着信側端末に送信し、
前記着信側端末は、該送信されてきたアニメ用データに関する情報により、前記コンテンツサーバから該当するアニメ用データを取得する、
ことを特徴とする自動アニメーション付き留守番電話機能を用いた通信方法。
【発明の詳細な説明】
【技術分野】
【０００１】
本発明は、画像表示機能付き通信装置に関し、特に、画像記録可能な留守番電話機能を備えた画像表示機能付き通信装置および通信方法に関する。
【背景技術】
【０００２】
従来、音声に加え画像も送受信することができる画像表示機能付き通信装置が知られており、例えば下記特許文献１において開示されている、留守中または電話に出られないときにかかってきた電話に対応し、音声の用件メッセージと共にアニメーション等の画像も記録できるようにする留守番電話機能を有しているものもある。また、この処理を音声信号と画像信号とで同期させる際に必要となる音声分析に関しては下記特許文献２が開示されている。
【０００３】
【特許文献１】特開平０７−０９５５４６号公報
【特許文献２】特開２００３−３１６３７８号公報
【発明の開示】
【発明が解決しようとする課題】
【０００４】
しかしながら、このような従来の留守番電話機能では、用件メッセージと共に記録しておけるものは発信側のカメラで撮影した画像のみであり、カメラで撮影した画像以外の例えばアニメーション等を記録しておきたいユーザの要求に対応することが出来ていなかった。
【０００５】
また、アニメーションを作成するには専門的な技術が必要であり、簡単に作成できるものではなかった。
【０００６】
そこで、本発明においては、用件メッセージに手軽にアニメーションを付けることができる留守番電話機能を備えた画像表示機能付き通信装置を提供することを目的とする。
【課題を解決するための手段】
【０００７】
上記目的を達成するために、本発明の請求項１においては、発信側端末または着信側端末として音声信号である用件メッセージおよび画像信号であるアニメ用データの送受信が可能な自動アニメーション付き留守番電話機能を備えた画像表示機能付き通信装置であって、音声データである用件メッセージを分析して予め定められた時間毎の音声の状態を示す音声特徴情報を算出する音声分析部と、前記用件メッセージに対して発信側端末において選択された前記音声の状態に対応した複数の画像データを含み、かつ所定の相互関係をもった一連の静止画の集まりであるアニメ用データを記憶するアニメ用データ格納部と、前記音声特徴情報と前記アニメ用データとに基づいて、前記用件メッセージの予め定められた時間毎の音声の状態に同期して前記アニメ用データの対応する画像データを表示するアニメーションを生成するアニメ生成部と、を有する自動アニメーション付き留守番電話機能を備えた画像表示機能付き通信装置について規定している。
【０００８】
請求項２においては、請求項１に記載の自動アニメーション付き留守番電話機能を備えた画像表示機能付き通信装置は、前記発信側端末として使用する場合には前記アニメ用データ格納部に記憶されているデータの発信手段となり、前記着信側端末として使用する場合には該アニメ用データの受信手段となるアニメ用データ通信部を有している自動アニメーション付き留守番電話機能を備えた画像表示機能付き通信装置について規定している。
【０００９】
請求項３においては、請求項１または請求項２に記載の自動アニメーション付き留守番電話機能を備えた画像表示機能付き通信装置は、インターネットに接続されているコンテンツサーバから所望のアニメ用データを取得するためのインターネット通信部を有していることを特徴とする自動アニメーション付き留守番電話機能を備えた画像表示機能付き通信装置について規定している。
【００１０】
請求項４においては、発信側端末または着信側端末として音声信号である用件メッセージおよび画像信号であるアニメ用データの処理が可能な自動アニメーション付き留守番電話機能を用いた通信方法であって、前記着信側端末では、前記用件メッセージを音声分析部で分析した後、該音声分析部において予め定められた時間毎の音声の状態を示す音声特徴情報を算出し、該音声特徴情報を音声特徴情報格納部で記憶し、前記用件メッセージに対して前記発信側端末において選択された前記音声の状態に対応した複数の画像データを含み、かつ所定の相互関係をもった一連の静止画の集まりであるアニメ用データをアニメ用データ格納部に記憶し、前記音声特徴情報格納部に記憶されている音声特徴情報と前記アニメ用データ格納部に記憶されているアニメ用データとに基づいて、前記用件メッセージの予め定められた時間毎の音声の状態に同期して前記アニメ用データの対応する画像データからアニメ生成部によりアニメーションとして生成し、表示する自動アニメーション付き留守番電話機能を用いた通信方法について規定している。
【００１１】
請求項５においては、請求項４に記載の自動アニメーション付き留守番電話機能を用いた通信方法において、アニメ用データ通信部を、前記発信側端末として使用する場合にはアニメ用データ格納部に記憶されているデータを発信し、または前記着信側端末として使用する場合には前記発信側から送信されてきた前記アニメ用データを受信する自動アニメーション付き留守番電話機能を用いた通信方法について規定している。
【００１２】
請求項６においては、請求項４または請求項５に記載の画像表示機能付き通信装置を介して行う通信方法において、前記発信側端末においてインターネットに接続されているコンテンツサーバから所望のアニメ用データを選択して取得し、該選択されたアニメ用データを前記用件メッセージと共に前記着信側端末にインターネット通信部を経由して送信する自動アニメーション付き留守番電話機能を用いた通信方法について規定している。
【００１３】
請求項７においては、請求項６に記載の自動アニメーション付き留守番電話機能を用いた通信方法において、前記発信側端末は前記コンテンツサーバからアニメ用データの一覧を受信し、前記発信側端末は該受信したアニメ用データの一覧の中から所望のデータを選択し、コンテンツサーバにおけるアドレス、アニメ用データの識別情報を含む該選択されたアニメ用データに関する情報を前記着信側端末に送信し、前記着信側端末は、該送信されてきたアニメ用データに関する情報により、前記コンテンツサーバから該当するアニメ用データを取得する自動アニメーション付き留守番電話機能を用いた通信方法について規定している。
【発明の効果】
【００１４】
本発明によれば、用件メッセージを分析して用件メッセージの予め定められた時間毎の音声の状態を算出し、この予め定められた時間毎の音声の状態に対応した画像データを発信側端末において選択されたアニメ用データから読み出して、用件メッセージに同期して表示するようにしているので、音声付アニメーションを作る技術が無い人でも、用件メッセージに手軽にアニメーションを付けることができる。
【００１５】
また、アニメ用データを発信側端末から送信し、着信側端末において受信することにより、発信側端末の持っているアニメ用データを用いて着信側端末においてアニメーションを生成することが可能となる。
【００１６】
また、アニメ用データをコンテンツサーバから取得するようにすれば、コンテンツサーバの豊富なデータの中からアニメ用データを選択することができるとともに、電話回線の使用時間を短縮することができる。
【発明を実施するための最良の形態】
【００１７】
以下、本発明を図面により説明する。以下の実施の形態においては、従来技術との比較参照を簡便化するために、いわゆる「テレビ電話装置」に本発明を適用した場合について説明する。実際にはテレビ電話装置に限らず、一般に画像表示機能付きの音声通話装置であれば全て本発明は適用可能である。図１はこのような音声通話装置を用いた通信システムの構成図で、図１（ａ）は電話回線０３を介して発信側端末０１、着信側端末０２が接続されている場合、図１（ｂ）はこれら両端末がインターネット２４を介して接続されている場合である。後者の場合、図１（ｂ）においてはアニメ用データと通信の送受信をインターネットで共用した場合について示しているが、コンテンツサーバとの接続と通信線路とを分けて使用することも可能である。前者の構成については実施の形態１で、後者の構成については実施の形態２で説明する。
【００１８】
（実施の形態１）
図２は本発明の実施の形態１としてのテレビ電話装置の構成図である。発信側、着信側いずれにおいても端末として同じ構成のテレビ電話装置を使用している。本実施の形態１におけるテレビ電話装置０１および０２は、図1に示すように電話回線０３で接続されている。また、端末としてのテレビ電話装置０１および０２の構成は、音声データ処理部Ａと、アニメ用データ処理部Ｂと、制御部Ｃとに三分割することが出来る。なお、ここでアニメ用データとは所定の相互関係を有する一連の静止画の集まりを指すものとする。
【００１９】
音声データ処理部Ａは、発信側端末０１または着信側端末０２であるテレビ電話装置を電話回線０３に接続し、両端末間で音声データの通信を行うための音声データ通信部１１を端末の音声信号入出力部として有している。着信側端末０２の場合は、音声データ通信部１１で受信した音声データを分析して後述する音声特徴情報を算出する音声分析部１２と、音声分析部１２が算出した音声特徴情報を記憶しておく音声特徴情報格納部１３とが動作する。また、発信側端末０１となるときは発信者の発話を集音するマイクを含む音声入力部１９を、受信側端末０２となるときは音声データ通信部１１で受信した用件メッセージを出力するスピーカを含む音声出力部２０を、さらに音声データ通信部１１で送受信するための音声データの一時メモリとなる音声格納部２１を有する構成となっている。
【００２０】
アニメ用データ処理部Ｂは、電話回線０３と接続され相手端末（０１または０２）とアニメ用データの通信を行うアニメ用データ通信部１４と、アニメ用データ通信部１４が受信したあるいは送信するアニメ用データの一時メモリとして記憶しておくアニメ用データ格納部１５と、受信してアニメ用データ格納部１５に記憶されたアニメ用データと前記の音声特徴情報格納部１３に記憶された音声特徴情報とに基づいてアニメーションを生成するアニメ生成部１７と、アニメ生成部１７で生成したアニメーションを出力する画像出力部１８とで構成されている。
【００２１】
制御部Ｃは，以上の音声データおよびアニメ用データの送受信処理を制御するための動作制御部２２と、電話回線０３に接続され相手端末との通信を制御する信号の送受信を行う通信信号制御部１６とで構成されている。なお、音声データ通信部１１、アニメ用データ通信部１４、通信信号制御部１６が接続されている電話回線は同一（１本）の回線であり、動作制御部２２が接続先を切り換えて上記Ａ，Ｂ，Ｃ各部に処理をさせるようになっている。
【００２２】
以上述べたテレビ電話装置は、留守番電話機能を有しており、同じテレビ電話装置同士の通信では、発信側端末０１で留守番電話に記録する音声の用件メッセージと共にアニメーションのキャラクターを選択して記録し、用件メッセージ再生時に音声に連動してこの選択されたキャラクターのアニメーションが自動的に生成され出力されるようになっている。  
具体的には、図３のシーケンス図に示すように、着信側端末０２の動作制御部２２は、電話回線０３から着信（Ｓ１１）を検出すると、発信側端末０１に留守番電話状態であることを通知する通信信号を通信信号制御部１６により送信する（Ｓ１２）。
【００２３】
発信側端末０１の動作制御部２２は、通信信号制御部１６を介して着信側端末０２が留守番電話状態であることを通知する通信信号を受信すると、アニメーションの出力が可能かどうかを確認するため、通信信号制御部１６を介してコンテンツ送信要求の通信信号を着信側端末０２に送信する（Ｓ１３）。
【００２４】
着信側端末０２の動作制御部２２は、通信信号制御部１６を介してコンテンツ送信要求の通信信号を受信すると、アニメ用データ格納部１５の空き容量等を確認し、アニメ用データを受け取ることができると判断したら、通信信号制御部１６を介してコンテンツ送信受諾の通信信号を発信側端末０１に送信し（Ｓ１４）、電話回線の接続先をアニメ用データ通信部１４に切り換え、アニメ用データ通信部１４によりアニメ用データを受信できるようにする。
【００２５】
発信側端末０１の動作制御部２２は、通信信号制御部１６を介してコンテンツ送信受諾の通信信号を受信すると、画像出力部１８に着信側端末０２が留守番電話状態であることを表示し、音声出力部２０から着信側端末０２が留守番電話状態であることを知らせる音声を出力すると共に、用件メッセージとアニメーションとを共に出力させる否かを選択させるメッセージを画像出力部１８と音声出力部２０とから出力する。
【００２６】
発信側端末０１の動作制御部２２は、利用者のボタン操作等により、アニメーションを出力することが選択されると、自装置のアニメ用データ格納部１５に格納されている送信可能なアニメ用データのキャラクターの一覧と共に、使用するキャラクターを選択させるメッセージを画像出力部１８に出力する。  
発信側端末０１の動作制御部２２は、利用者のボタン操作などにより、使用するキャラクターが選択されると、電話回線０３の接続先をアニメ用データ通信部１４に切り換え、該当キャラクターのアニメ用データをアニメ用データ通信部１４により着信側端末０２に送信する（Ｓ１５）。  
着信側端末０２のアニメ用データ通信部１４は、受信したデータをアニメ用データ格納部１５に格納する。
【００２７】
データの受信が終了すると、着信側端末０２の動作制御部２２は、電話回線の接続先を通信信号制御部１６に切り換え、アニメ用データの受信が終了したことを示すアニメ用データ受領通知の通信信号を通信信号制御部１６を介して発信側端末０１に送信し（Ｓ１６）、次に音声データ送信要求の通信信号を通信信号制御部１６を介して発信側端末０１に送信し（Ｓ１７）、電話回線の接続先を音声データ通信部１１に切り換える。
【００２８】
発信側端末０１の動作制御部２２は、アニメ用データの送信が終了すると、電話回線の接続先を通信信号制御部１６に切り換え、通信信号制御部１６を介してアニメ用データ受領通知の通信信号を受信し、次いで音声送信要求の通信信号を受信すると、電話回線の接続先を音声データ通信部１１に切り換え、利用者に用件メッセージを吹き込むように指示するメッセージを画像出力部１８、音声出力部２０に出力し、音声入力部１９から入力される音声データを音声データ通信部１１を介して着信側端末０２に送信する（Ｓ１８）。
【００２９】
着信側端末０２の音声データ通信部１１は、受信したデータを音声格納部２１に記憶するとともに、音声分析部１２に出力する。  
音声分析部１２としては、例えば前記特許文献２に開示された技術を使って、入力された音声データを分析し、設定された時間毎の音声の状態を示す値を算出し、音声特徴情報として音声特徴情報格納部１３に格納する。
【００３０】
着信側端末０２の動作制御部２２は、音声データの受信が終了すると、電話回線の接続先を通信信号制御部１６に切り換え、コンテンツの受信が終了したことを示すコンテンツ受信完了通知の通信信号を通信信号制御部１６を介して発信側端末０１に送信し（Ｓ１９）、電話回線の通信を切断し、用件メッセージが録音されていることを示すランプを点灯し、用件メッセージが録音されていることを示すメッセージを画像出力部１８に出力しておく。  
発信側テレビ電話の動作制御部２２は、音声データの送信が終了すると、電話回線の接続先を通信信号制御部１６に切り換え、コンテンツ受信完了通知の通信信号を、通信信号制御部１６を介して受信すると、電話回線の通信を切断して終了する。
【００３１】
次に、このようにして記録された用件メッセージを着信側端末０２となるテレビ電話装置で再生する過程について説明する。  
着信側端末０２におけるテレビ電話装置の動作制御部２２は、利用者のボタン操作などにより用件メッセージの再生が指示されると、音声格納部２１に記憶されている用件メッセージを音声出力部２０に出力して再生すると共に、アニメ生成部１７により、音声データの再生と同期して、音声特徴情報格納部１３に記憶されている当該音声データに対応する音声特徴情報に基づいて、アニメ用データ格納部１５に記憶されている送信されてきた音声データに対応するアニメ用データからアニメを生成し、画像出力部１８に出力する。
【００３２】
アニメ用データは、音声特徴情報として記憶されている音声の状態を示す値に対応した複数の画像データ（動画でもよい）が含まれており、音声の状態を示す値を複数の段階に分け、各段階の音声の状態を表すような画像データが対応付けられている。
【００３３】
アニメ生成部１７は、音声特徴情報格納部１３から読み出した音声特徴情報の、時間毎の音声の状態を示す値から、その値に対応する画像データをアニメ用データ格納部１５の対応するアニメ用データから読み出し、画像出力部１８に出力していく。
【００３４】
このようにして、記録された用件メッセージの音声に同期して、選択されたキャラクターが、音声の状態に合わせて動くアニメーションを再生することができる。
【００３５】
（実施の形態２）
次に、図４は本発明の実施の形態２に関するテレビ電話装置を示す図である。なお、本実施の形態２は、上述の実施の形態１と略同様に構成されているので、同様な構成には同一の符号を付して特徴部分のみ説明する。  
本実施の形態２のテレビ電話装置は、インターネット２４上の装置と通信を行うための手段であるインターネット通信部２３を備え、アニメ用データをインターネット２４上のコンテンツサーバ２５から取得することを特徴とする。
【００３６】
具体的には、図５のシーケンス図に示すように、上記の実施の形態１と同様に、着信側の動作制御部２２は、発信側端末０１からの着信を検出する（Ｓ１１）と、着信側端末０２は発信側端末０１に留守番電話状態であることを通知する（Ｓ１２）。発信側端末０１の動作制御部２２は、これを受信するとコンテンツ送信要求を送信し（Ｓ１３）、着信側端末０２の動作制御部２２は、アニメ用データを受け取り可能と判断したら、コンテンツ送信受諾の通信信号を発信側端末０１に送信する（Ｓ１４）。インターネット２４への接続をアニメ用データ通信部１４に切り換え、アニメ用データ通信部１４によりアニメ用データを受信できるようにする。
【００３７】
発信側端末０１の動作制御部２２は、通信信号制御部１６を介してコンテンツ送信受諾の通信信号を受信すると、画像出力部１８に着信側端末０２が留守番電話状態であることを表示し、音声出力部２０からは着信側端末０２が留守番電話状態であることを知らせる音声を出力する。この際、用件メッセージと共にアニメーションを出力させるか否かを選択させるメッセージを画像出力部１８および音声出力部２０から出力する。
【００３８】
発信側端末０１の動作制御部２２は、利用者のボタン操作などにより、アニメーションを出力することが選択されると、アニメ用データの一覧を取得するためコンテンツサーバ２５にアニメ用データ一覧要求をインターネット通信部２３経由で送信する（Ｓ２１）。  そして、発信側端末０１の動作制御部２２は、コンテンツサーバ２５からアニメ用データの一覧を受信する（Ｓ２２）と、受信したアニメ用データのキャラクターの一覧と共に、使用するキャラクターを選択させるメッセージを画像出力部１８に出力する。
【００３９】
発信側端末０１の動作制御部２２は、利用者のボタン操作などにより、使用するキャラクターが選択されると、選択されたアニメ用データのアニメ用データ要求をコンテンツサーバ２５にインターネット通信部２３を介して送信する（Ｓ２３）。  
そして、発信側端末０１のインターネット通信部２３は、コンテンツサーバ２５からアニメ用データを受信する（Ｓ２４）と、受信したアニメ用データをアニメ用データ格納部１５に記憶する。
【００４０】
発信側端末０１の動作制御部２２は、コンテンツサーバ２５からのアニメ用データの受信が終了すると、インターネット２４への接続をアニメ用データ通信部１４に切り換え、コンテンツサーバから取得したアニメ用データをアニメ用データ通信部１４により着信側端末０２に送信する（Ｓ１５）。
【００４１】
次に、上記の実施の形態２と同様に、着信側端末０２のアニメ用データ通信部１４は、受信したデータをアニメ用データ格納部１５に格納し、データの受信が終了すると、着信側端末０２の動作制御部２２は、アニメ用データの受信が終了したことを示すアニメ用データ受領通知の通信信号を送信する（Ｓ１６）。次に音声送信要求の通信信号を送信し（Ｓ１７）、発信側端末０１の動作制御部２２は、アニメ用データの送信が終了し、着信側端末０２からのアニメ用データ受領通知の通信信号に次いで音声送信要求の通信信号を受信すると、利用者に用件メッセージを吹き込むように指示するメッセージを音声出力部２０、画像出力部１８から出力し、音声入力部１９から入力される音声データを着信側端末０２０２に送信する（Ｓ１８）。
【００４２】
着信側端末０２は、受信したデータを音声格納部２１に記憶する共に、音声分析部１２で分析して音声特徴情報を音声特徴情報格納部１３に格納する。音声データの受信が終了すると、コンテンツ受信完了通知の通信信号を発信側端末０１に送信し（Ｓ１９）、用件メッセージが録音されていることを示す出力をして電話回線の通信を切断して終了する。発信側端末０１の動作制御部２２は、音声データの送信が終了し、コンテンツ受信完了通知の通信信号を、通信信号制御部１６を介して受信すると、電話回線の通信を切断して終了する。
【００４３】
以上のように、本実施の形態２においては、コンテンツサーバ２５から必要とするアニメ用データをダウンロードして送信しているので、テレビ電話装置０１、０２におけるアニメ用データを格納しておくメモリ容量を削減することができるのみならず、コンテンツサーバ２５の多彩なアニメ用データの中からアニメ用データを選ぶことができる。
【００４４】
なお、図６に示すように、発信側端末０１では、コンテンツサーバ２５のアニメ用データの一覧だけを取得し（Ｓ２１，Ｓ２２）、選択されたアニメ用データに関する情報（コンテンツサーバ２５のアドレス、アニメ用データの識別情報等）をアニメ用データ情報として着信側端末０２に送信し（Ｓ３１）、着信側端末０２が、受信したアニメ用データに関する情報に基づいて、コンテンツサーバ２５からのアニメ用データを要求し（Ｓ３２）、これを取得し（Ｓ３３）、アニメ用データの取得が終了したところで、アニメ用データ受領通知の通信信号と音声送信要求の通信信号とを送信し（Ｓ１６、Ｓ１７）、用件メッセージを記録するようにしてもよい。
【００４５】
このようにすることによって、発信側端末０１から電話回線によりアニメ用データを送信する必要が無くなり、電話回線の使用時間を短縮することができるようになる。  
また、着信側端末０２でのアニメ用データの取得を用件メッセージ再生時に行うようにしてもよい。  
このようにすることによって、電話回線の使用時間を短縮することができると共に、不必要なアニメ用データのダウンロードを避けることができる。
【図面の簡単な説明】
【００４６】
【図１】通信システムの構成例を示す（ａ）電話回線による構成図、（ｂ）インターネットを使用する構成図。
【図２】画像表示機能付き音声通話装置の構成を示すブロック図。
【図３】本発明による通信プロセスを示すシーケンス図。
【図４】コンテンツサーバをインターネット経由で接続する場合のブロック図。
【図５】インターネット経由でコンテンツサーバを接続して送受信を行う場合のシーケンス図。
【図６】図５におけるシーケンスの他の例を示すシーケンス図。
【符号の説明】
【００４７】
０１：テレビ電話装置（発信側）    ０２：テレビ電話装置（着信側）
０３：電話回線                    １１：音声データ通信部
１２：音声分析部                  １３：音声特徴情報格納部
１４：アニメ用データ通信部        １５：アニメ用データ格納部
１６：通信信号制御部              １７：アニメ生成部
１８：画像出力部                  １９：音声入力部
２０：音声出力部                  ２１：音声格納部
２２：動作制御部                  ２３：インターネット通信部
２４：インターネット              ２５：コンテンツサーバ
【図１】
2006324940.tif 000003
【図２】
2006324940.tif 000004
【図３】
2006324940.tif 000005
【図４】
2006324940.tif 000006
【図５】
2006324940.tif 000007
【図６】
2006324940.tif 000008